(57)【要約】【課題】セルエッジ領域で性能を向上させる方法を提供する。【解決手段】第１の搬送周波数で、データを含む第１の転送パケットを受信する段階と、第２の搬送周波数で、前記データを含む第２の転送パケットを受信する段階と、を含む、複数の相異なる周波数でデータを受信する方法を提供する。この方法は、前記第１及び第２の転送パケットを転送する転送個体と通信を維持する段階と、前記第１及び第２の転送パケットの転送品質を識別する段階と、をさらに含む。  なお、少なくとも２つの転送個体からパケット転送の第１のサブパケットを転送する段階を含む、サブパケット再転送方法を提供する。この方法は、前記第１のサブパケットの応答として否定応答（ＮＡＣＫ）を受信する場合、前記少なくとも２つの転送個体が後続サブパケットの転送を交互に反復する段階をさらに含む。【選択図】図５
2009525670.tif 000002
【特許請求の範囲】
【請求項１】
データを複数の相異なる周波数で受信する方法において、
第１の搬送周波数で、データを含む第１の転送パケットを受信する段階と、
第２の搬送周波数で、前記データを含む第２の転送パケットを受信する段階と、
前記第１の転送パケット及び前記第２の転送パケットを転送する転送個体と通信を維持する段階と、
前記第１の転送パケット及び前記第２の転送パケットの受信品質を識別する段階と、
を含む、データ受信方法。
【請求項２】
前記識別された受信品質に基づいて前記第１の転送パケットまたは前記第２の転送パケットのいずれかを選択する段階をさらに含む、請求項１に記載のデータ受信方法。
【請求項３】
全般的信号受信品質を向上させるために前記第１の転送パケットと前記第２の転送パケットとを結合させる段階をさらに含む、請求項１に記載のデータ受信方法。
【請求項４】
前記第１の転送パケットのデータと前記第２の転送パケットのデータは、同一データを意味することを特徴とする、請求項１に記載のデータ受信方法。
【請求項５】
前記第１の転送パケットと第２の転送パケットのデータは、同一データから異なって符号化されたことを特徴とする、請求項１に記載のデータ受信方法。
【請求項６】
データを複数の相異なるトーン（ｔｏｎｅ）で受信する方法において、
第１のトーンセットで、データを含む第１の転送パケットを受信する段階と、
第２のトーンセットで、前記データを含む第２の転送パケットを受信する段階と、
前記第１の転送パケット及び前記第２の転送パケットを転送する転送個体と通信を維持する段階と、
前記第１の転送パケット及び前記第２の転送パケットの受信品質を識別する段階と、
を含む、データ受信方法。
【請求項７】
前記第１のトーンセットと前記第２のトーンセットは、副搬送波を意味することを特徴とする、請求項６に記載のデータ受信方法。
【請求項８】
前記第１のトーンセット及び前記第２のトンセットは、時間と周波数にわたって分布することを特徴とする、請求項６に記載のデータ受信方法。
【請求項９】
前記第１のトーンセット及び前記第２のトーンセットは、時間と周波数で連結されることを特徴とする、請求項６に記載のデータ受信方法。
【請求項１０】
前記識別された受信品質に基づいて前記第１の転送パケットまたは前記第２の転送パケットのいずれかを選択する段階をさらに含む、請求項６に記載のデータ受信方法。
【請求項１１】
前記第１の転送パケットと前記第２の転送パケットとを結合させて全般的信号受信品質を向上させる段階をさらに含む、請求項６に記載のデータ受信方法。
【請求項１２】
前記第１の転送パケットのデータ及び前記第２の転送パケットのデータは、同一データを意味することを特徴とする、請求項６に記載のデータ受信方法。
【請求項１３】
前記第１の転送パケットのデータは、前記第２の転送パケットのデータと異なって符号化（ｅｎｃｏｄｅｄ）されたことを特徴とする、請求項６に記載のデータ受信方法。
【請求項１４】
サブパケットを再転送する方法において、
少なくとも２つの転送個体がパケット転送の第１のサブパケットを転送する段階と、
前記第１のサブパケットの応答として否定応答（ＮＡＣＫ）を受信する場合、前記少なくとも２つの転送個体が後続サブパケットの転送を交互に反復する段階と、
前記パケット転送のいずれかのサブパケットの応答として肯定応答（ＡＣＫ）を受信する場合、新しいパケット転送の第１のサブパケットを転送する段階と、
を含む、サブパケット再転送方法。
【請求項１５】
前記第１の転送パケット及び前記第２の転送パケットのいずれがより高い受信品質を有するかを識別する段階をさらに含む、請求項１４に記載のサブパケット再転送方法。
【請求項１６】
複数の搬送周波数のうちの該当の搬送周波数で、複数の転送パケットを受信する段階をさらに含む、請求項１４に記載のサブパケット再転送方法。
【請求項１７】
前記後続サブパケットを前記第１のサブパケットに用いられた転送電力と異なる転送電力で転送する段階をさらに含む、請求項１４に記載のサブパケット再転送方法。
【請求項１８】
サブパケットを再転送する方法において、
少なくとも２つの転送個体からパケット転送の第１のサブパケットを転送する段階と、
第１のサブパケットの応答として否定応答を受信する場合、前記少なくとも２つの転送個体両方によって後続サブパケットを、第１のサブパケット転送に用いられた転送電力と異なる転送電力で転送する段階と、
前記パケット転送のいずれかのサブパケットの応答として肯定応答を受信する場合、新しいパケット転送の第１のサブパケットを転送する段階と、
を含む、サブパケット再転送方法。
【請求項１９】
前記第１のサブパケットに用いられた転送電力に比べて増加した転送電力を用いて前記後続サブパケットを転送する段階をさらに含む、請求項１８に記載のサブパケット再転送方法。
【請求項２０】
前記第１のサブパケットに用いられた転送電力に比べて減少した転送電力を用いて前記後続サブパケットを転送する段階をさらに含む、請求項１８に記載のサブパケット再転送方法。
【発明の詳細な説明】
【技術分野】
【０００１】
本発明は、移動通信に係り、より詳細には、セルエッジ領域で携帯用端末機の性能を向上させる方法に関する。
【背景技術】
【０００２】
複数の使用者が一つの通信媒体を共有する方法には様々なものがある。その一つがコード分割多重接続（Ｃｏｄｅ  Ｄｉｖｉｓｉｏｎ  Ｍｕｌｔｉｐｌｅ  Ａｃｃｅｓｓ：ＣＤＭＡ）方式である。ＣＤＭＡシステムでは複数の使用者が同じ搬送周波数を共有し、同時転送ができる。
【０００３】
現在ＣＤＭＡシステム標準は、通信産業協会及び電子産業協会（ＴＩＡ／ＥＩＡ）より発行した明細書に収録されており、ＩＳ−９５Ａ、ＩＳ−９５Ｂ、その他ＣＤＭＡタイプ通信規約を含む。ＩＳ−９５技術に基盤するＣＤＭＡシステムは普通、２世代（２Ｇ）システムと知られている。２Ｇ  ＣＤＭＡシステムを向上させるための新しい標準が開発されたし、これは２Ｇ  ＣＤＭＡ標準に比べて顕著な性能向上を遂げた。その一つがＣＤＭＡ２０００である。ＣＤＭＡ２０００は、３世代（３Ｇ）無線通信システムの要求を満たすためにＣＤＭＡ技術を使用する広帯域帯域拡散（ｓｐｒｅａｄ−ｓｐｅｃｔｒｕｍ）無線インターフェースである。ＣＤＭＡ２０００標準の改善は、３世代無線通信システムの漸進的な発達を容易にするために開発されものである。ＩｘＥＶ−ＤＯと知られたＣＤＭＡ２０００の変形は、高速パケットデータサービスを既存回線交換通信網のオーバーレイとして提供するために開発された。
【０００４】
移動通信端末機が網内を移動するにつれ、フェーディング（ｆａｄｉｎｇ）速度、シャドーイング（ｓｈａｄｏｗｉｎｇ）、使用者の数、外部干渉及び他の要因によってチャンネル状態が連続して変わることとなる。このような問題点は、移動通信端末機がサービング基地局から遠ざかってセルエッジ領域に入っていくにつれてより増加する。したがって、かかる問題点を解決するには、セルエッジ領域における移動通信端末機の性能向上が要求される。
【発明の開示】
【課題を解決するための手段】
【０００５】
本発明の追加的な利点、目的及び特徴の一部は詳細な説明に記載され、一部は本発明の内容から当業者に明白になるか、本発明の実施から明らかになることができる。本明細書に記載された内容は、本発明の技術的思想を例示または説明するためのもので、請求された発明についてさらに説明するためのものである。
【０００６】
本発明の一実施形態によれば、第１の搬送周波数で、データを含む第１の転送パケットを受信する段階と、第２の搬送周波数で、前記データを含む第２の転送パケットを受信する段階とを含む、複数の相異なる周波数でデータを受信する方法を提供する。この方法は、前記第１及び第２の転送パケットを転送する転送個体と通信を維持する段階と、前記第１及び第２の転送パケットの転送品質を識別する段階と、をさらに含む。ここでいう‘パケット’は、サブパケットを含む広範囲データ転送単位を指す。
【０００７】
一様態において、前記データ受信方法は、識別された受信品質に基づいて前記第１または第２の転送パケットのいずれかを選択する段階をさらに含む。
【０００８】
他の様態において、前記データ受信方法は、全般的な信号受信品質を向上させるために前記第１及び第２の転送パケットを結合させる段階をさらに含む。
【０００９】
さらに他の様態において、前記第１転送パケットのデータと前記第２の転送パケットのデータは同一データを意味することを特徴とする。
【００１０】
さらに他の様態において、前記第１転送パケットと第２の転送パケットのデータは、同一データを異なって符号化したバージョンであることを特徴とする。
【００１１】
本発明の他の実施形態によれば、第１のトーンセットで、データを含む第１の転送パケットを受信する段階と、第２のトーンセットで、前記データを含む第２の転送パケットを受信する段階と、を含む、多重搬送波システムで複数の相異なるトーン（ｔｏｎｅ）でデータを受信する方法を提供する。この方法は、前記第１の転送パケット及び第２の転送パケットを転送する転送個体と通信を維持する段階と、前記第１及び第２の転送パケットの受信品質を識別する段階と、をさらに含む。
【００１２】
一特徴において、前記第１のトーンセットと前記第２のトーンセットは、副搬送波を意味することを特徴とする。
【００１３】
本発明のさらに他の実施形態によれば、少なくとも２つの転送個体からパケット転送の第１のサブパケットを転送する段階を含む、サブパケット再転送方法を提供する。この方法は、前記第１のサブパケットの応答として否定応答（ＮＡＣＫ）を受信する場合、後続サブパケット転送を、異なる前記少なくとも２つの転送個体が交互に反復する段階をさらに含む。この方法は、前記パケット転送のいずれかのサブパケットの応答として肯定応答（ＡＣＫ）を受信する場合、新しいパケット転送の第１のサブパケットを転送する段階をさらに含む。
【００１４】
一特徴において、前記方法は、前記第１の転送パケットまたは前記第２の転送パケットのいずれが高い受信品質を示すかを識別する段階をさらに含む。
【００１５】
他の様態において、前記方法は、複数の搬送周波数のうちの該当の搬送周波数で、複数の転送パケットを受信する段階をさらに含む。
【００１６】
さらに他の様態において、前記方法は、前記後続サブパケットを、前記第１のサブパケットに用いられた転送電力と異なる転送電力で転送する段階をさらに含む。
【００１７】
本発明の一実施形態によれば、少なくとも２つの転送個体からパケット転送の第１のサブパケットを転送する段階を含むサブパケット再転送方法を提供する。この方法は、第１のサブパケットの応答として否定応答を受信する場合、前記少なくとも２つの転送固体両方によって、後続サブパケットを、第１のサブパケット転送に用いられた転送電力と異なる転送電力で転送する段階をさらに含む。この方法は、前記パケット転送のいずれかのサブパケットの応答として肯定応答を受信する場合、新しいパケット転送の第１のサブパケットを転送する段階をさらに含む。
【００１８】
一様態において、前記方法は、前記第１のサブパケットに用いられた転送電力に比べて増加したり減少した転送電力を用いて前記後続サブパケットを転送する段階をさらに含む。
【００１９】
添付の図面に基づく下記の実施例から、当業者なら上記の実施例及びその他の実施例に容易に想到でき、したがって、ここに開示されたいずれの特定実施例にも本発明が制限されることはない。
【発明を実施するための最良の形態】
【００２０】
以下、添付の図面を参照しつつ、本発明の好適な実施例について詳細に説明する。図面中、同一の構成要素には可能な限り同一の参照番号を共通使用するものとする。
【００２１】
図１を参照すると、無線通信網１が示されている。加入者は、移動端末機２を介してネットワークサービスに接続する。移動端末機２は、携帯電話、車両に装着された通信装備あるいは固定位置通信装備のような携帯用通信機器にすれば良い。
【００２２】
移動端末機２から放出される電磁気波が逆方向リンクを通じて、ノードＢとも知られた基地局３（ＢＴＳ：Ｂａｓｅ  Ｔｒａｎｓｃｅｉｖｅｒ  Ｓｙｓｔｅｍ）に転送される。基地局は、アンテナ、電波（ｒａｄｉｏ  ｗａｖｅ）を送受信するための装置などの無線装備を含む。接続網６は、一つ以上の基地局から転送を受ける基地局制御器４（ＢＳＣ：Ｂａｓｅ  Ｓｔａｔｉｏｎ  Ｃｏｎｔｒｏｌｌｅｒ）を含む。該基地局制御器（ＢＳＣ）は、基地局と移動交換局（ＭＳＣ：Ｍｏｂｉｌｅ  Ｓｗｉｔｃｈｉｎｇ  Ｃｅｎｔｅｒ）、または内部ＩＰ網１７と基地局間にメッセージを交換することによって各基地局からの無線転送を制御し管理する。
【００２３】
接続網６は、回線交換基幹網（ＣＳＣＮ：Ｃｉｒｃｕｉｔ  Ｓｗｉｔｃｈｅｄ−Ｃｏｒｅ  Ｎｅｔｗｏｒｋ）７及びパケット交換基幹網（ＰＳＣＮ：Ｐａｃｋｅｔ  Ｓｗｉｔｃｈｅｄ−Ｃｏｒｅ  Ｎｅｔｗｏｒｋ）８とメッセージを交換し、データを転送する。前記回線交換基幹網（ＣＳＣＮ）は一般的な音声通信を提供し、前記パケット交換基幹網（ＰＳＣＮ）は、インターネットアプリケーション及びマルチメディアサービスを提供する。
【００２４】
移動交換局５は、移動端末機２との一般的な音声通信交換を提供し、このような機能を支援する情報を保存することができる。この移動交換局（ＭＳＣ）は、例えば、公衆交換電話網（ＰＳＴＮ）（図示せず）や総合デジタル通信網（ＩＳＤＮ）（図示せず）のような他の公衆網だけでなく、一つ以上の接続網６にも連結されることができる。訪問者位置レジスター（ＶＬＲ：Ｖｉｓｉｔｏｒ  Ｌｏｃａｔｉｏｎ  Ｒｅｇｉｓｔｅｒ）９は、訪問加入者との音声通信を扱うための情報を取り込むのに用いられる。前記訪問者位置レジスター（ＶＬＲ）は、移動交換局５内に構成されることができ、一つ以上の移動交換局（ＭＳＣ）をサービングすることができる。
【００２５】
使用者情報は、加入者情報（端末機固有番号等）、加入者電話番号、プロファイル情報、現在位置及び認証周期のような記録用データを保存するホーム位置レジスター（ＨＬＲ：Ｈｏｍｅ  Ｌｏｃａｔｉｏｎ  Ｒｅｇｉｓｔｅｒ）１０に割り当てられる。認証センター（ＡＣ：Ａｕｔｈｅｎｔｉｃａｔｉｏｎ  Ｃｅｎｔｅｒ）１１は、移動端末機２と関連した認証情報を管理する。この認証センター（ＡＣ）は、ホーム位置レジスター（ＨＬＲ）内に存在し、一つ以上のホーム位置レジスターをサービングしても良い。移動交換局５、ホーム位置レジスター１０及び認証センター１１間のインターフェースとしては、ＩＳ−４１標準インターフェース１８が示されている。
【００２６】
パケット交換基幹網８の一部であるパケットデータサービングノード（ＰＤＳＮ：Ｐａｃｋｅｔ  Ｄａｔａ  Ｓｅｒｖｉｎｇ  Ｎｏｄｅ）１２は、移動端末機２とのパケットデータトラフィックの経路を提供する。パケットデータサービングノード１２は、移動端末機２とのリンク階層セッションを確立、維持及び終了させ、１つ以上の連結網６及び１つ以上のパケット交換基幹網８とインターフェースを取ることができる。認証、権限付与及び課金用サーバー１３（Ａｕｔｈｅｎｔｉｃａｔｉｏｎ、Ａｕｔｈｏｒｉｚａｔｉｏｎ  ａｎｄ  Ａｃｃｏｕｎｔｉｎｇ  ｓｅｒｖｅｒ：以下、‘ＡＡＡサーバー’という。）は、パケットデータトラフィックと関連したインターネットプロトコルの認証、権限付与及び課金機能を提供する。ホームエージェント（ＨＡ：Ｈｏｍｅ  Ａｇｅｎｔ）１４は、移動端末機のＩＰ登録を認証し、外部エージェント（ＦＡ：Ｆｏｒｅｉｇｎ  Ａｇｅｎｔ）１５とのパケットデータの方向変更を行い、ＡＡＡサーバー１３から使用者の権限設定情報を受信する。ホームエージェント１４はまた、パケットデータサービングノード１２との安全な通信を確立、維持及び終了させたり、動的インターネットアドレス（ｄｙｎａｍｉｃ  ＩＰ  ａｄｒｅｓｓ）を割り当てることができる。前記パケットデータサービングノード（ＰＤＳＮ）がＡＡＡサーバー１３、ホームエージェント１４及びインターネットに内部ＩＰ網１７を介して連結されて通信していることがわかる。
【００２７】
図１に示す実施例で、無線通信網１は、ＣＤＭＡ通信技術を活用するＩｘＥＶ−ＤＯの公知の仕様にしだかって作動する。本発明の実施例が他のタイプの無線通信システム及び他の通信システムにも同様に適用可能であることは明らかである。したがって、以下ではＩｘＥＶ−ＤＯシステムに対する本発明の実施様態が説明されるが、他の様々なタイプの通信システムのいずれにも本発明の実施様態が同様に適用されることができる。
【００２８】
基地局３から移動端末機２への転送は、順方向リンク転送（ｆｏｒｗａｒｄ  ｌｉｎｋ  ｔｒａｎｓｍｉｓｓｉｏｎｓ）と呼ばれる。同様に、移動端末機２から基地局３への転送は、逆方向リンク転送（ｒｅｖｅｒｓｅ  ｌｉｎｋ  ｔｒａｎｓｍｉｓｓｉｏｎｓ）と呼ばれる。一般的に、順方向リンク転送は、システム仕様によって定義された複数のフレームを含む。前記例示的な通信システムにおいて、信号は複数のチャンネル（順方向リンクチャンネル）上でフレームを受信する間に十分に転送され、一般的にパイロットチャンネル、制御チャンネル、補助チャンネル及び専用チャンネルのための信号を有することとなる。前記補助チャンネルはインターリーブ及び分散されたデータ信号を含む。前記専用チャンネルは、補助チャンネルに転送されたデータに関する信号情報を含んでいる。
【００２９】
接続が開くと、順方向トラフィックチャンネル、逆方向トラフィックチャンネル及び逆方向電力制御チャンネルが移動端末機２に割り当てられる。多重接続が単一セッションで発生することができる。ＩｘＥＶ−ＤＯシステムには通常、２つの接続状態が存在するが、クローズド接続（ｃｌｏｓｅｄ  ｃｏｎｎｅｃｔｉｏｎ）とオープン接続（ｏｐｅｎ  ｃｏｎｎｅｃｔｉｏｎ）がそれである。
【００３０】
クローズド接続とは、移動端末機２にいずれの専用無線リンク（ａｉｒ−ｌｉｎｋ）資源も割り当てられず、移動端末機２と接続網６との通信が接続チャンネルと制御チャンネルを通じて行われる状態のことをいう。オープン接続とは、移動端末機２に順方向トラフィックチャンネル、逆方向電力制御チャンネル及び逆方向トラフィックチャンネルが割り当てられ、移動端末機２と接続網６との通信が、制御チャンネルだけでなく、それら割り当てられたチャンネルを通じても行われる状態のことをいう。
【００３１】
移動端末機が網内を移動するにつれ、通常、サービング基地局のセルエッジ領域に到達することとなる。このような状況の一つが、図２に示されている。図２は、１つの移動端末機と通信する２個の基地局システムが示されている。移動端末機２が基地局３ａの受信可能領域１００（セルＡ）のエッジに移動し、現在、セルエッジ領域中１１０に位置している。このセルエッジ領域は、基地局３ａの受信可能領域と他の基地局３ｂの受信可能領域１２０（セルＢ）とが重なり合う地域である。万一、移動端末機２が続いて基地局３ｂの方向に移動すると、ハンドオフ過程が発生し、終局としては、基地局３ｂが前記移動端末機のサービング基地局となり、以前基地局３ａとの通信は終わる。
【００３２】
本発明の実施例は、セルエッジ領域（例えば、領域１１０）において移動端末機との通信向上と、ソフト及びソフターハンドオフと関連した網性能の開発に関する。ソフトハンドオフの場合、２つ以上の信号が相異なるセルから受信され、移動端末機により、例えば、同時に復調、複合及び復号される。典型的なソフトハンドオフは、使用者に透明的な方式でダイバーシティ結合（例えば、同一または相異なる基地局からの信号を結合）して具現される。ソフターハンドオフはソフトハンドオフの特別な類型で、移動端末機が同時に同一基地局の２つ以上のセクターと通信する場合に発生する。
【００３３】
本発明の実施例は、汎用周波数再使用と非汎用周波数再使用の場合がいずれも考慮される。典型的なＣＤＭＡシステムは、例えば、システム内の全てのセクターとセルが同一周波数上で正常作動するように汎用周波数再使用の原理を具現する。逆に、非汎用周波数再使用を具現するシステムは、転送個体（例えば、基地局３ａ、３ｂ）が相異なる搬送周波数を用いて移動端末機と順方向リンク転送を通じて交信するシステムである。非汎用周波数再使用の場合をまず考慮する。
【００３４】
図２を参照し続くと、一実施例は、各基地局がパケットデータを相異なる搬送周波数で転送する場合を提供する。例えば、基地局３ａは、パケットデータを第１の搬送周波数で転送でき、基地局３ｂはパケットデータを第２の搬送周波数で転送できる。移動端末機２が受信可能領域が重なり合う領域（特に、セルエッジ領域１１０）に在るので、この移動端末機は両基地局３ａ，３ｂの両方から転送を受けることができる。受信した第１及び第２のパケットデータ転送を復調した後に、当該移動端末機は受信したデータを調査し、各データパケットの受信品質を識別または評価することができる。
【００３５】
たいてい、両基地局３ａ，３ｂからのパケットデータ転送は、同一データであることを意味する。また、両基地局３ａ，３ｂは、転送されたデータパケットを同一あるいは相異なる符号化技術を用いて符号化（ｅｎｃｏｄｅ）することができる。
【００３６】
移動端末機２が様々なパケットデータ転送を受信し、継続して受信するために、基地局３ａ，３ｂの両方と通信を維持することは注目すべきである。これは、１つの基地局への連結以外のすべての連結が終局としては絶たれる典型的なハンドオフ過程と対比される点である。
【００３７】
これらの転送を受信した後に、移動端末機２は、識別した受信品質に基づいて端末機での使用のために２つのデータパケットから１つを選択することができる。これは、移動端末機が最善の転送のために基地局３ａまたは基地局３ｂを選択できるようにする。
【００３８】
代案として、各基地局３ａと基地局３ｂから転送された第１及び第２のパケットデータ転送は、例えば、コード結合ソフトハンドオフ（ＣＣＳＨ）方式やダイバーシティ結合などの公知の方法を用いて移動端末機で組み合わせることができる。このような方法は、ソフトまたはソフターハンドオフを通じてダイバーシティ利得（ｄｉｖｅｒｓｉｔｙ  ｇａｉｎ）を、２つの高比率コードストリームを組み合わせ、１つの低比率コードストリームを生成することで符号化利得（ｃｏｄｉｎｇ  ｇａｉｎ）を提供する。
【００３９】
多重転送アンテナはまた、各基地局が複数のアンテナを持つようにし、各アンテナが相異なる搬送周波数で転送するようにして具現されることができる。
【００４０】
上述したように、本発明の実施例はまた、セルエッジ領域に沿って動いたり、この領域に位置している移動端末機との通信を改善するために適用されることができる。これらの実施例は、セルエッジ領域に関して上述したのと類似の方法で具現されることができる。
【００４１】
このような状況の一つが、セルＡが受信可能領域２００と定義され、セルＢが受信可能領域２２０と定義された図３に示されている。各セルに別個に関連している基地局は明瞭な理解のために省略した。セルＡは３つのセクターを有するとし、各セクターはそれぞれの転送時に、相異なる搬送周波数でパケットデータを転送する。セクターの相異なる搬送周波数はそれぞれ、Ｆ１、Ｆ２及びＦ３で表示されている。セルＢも同様に設定される。
【００４２】
移動端末機２は、セルＡのセクターエッジに示されており、同一基地局から別個の２つの搬送周波数で転送を受ける。この側面は、移動端末機がそれぞれ異なる搬送周波数で２つの基地局３ａ，３ｂから転送を受ける図２の実施例に似ている。
【００４３】
図３を再び参照すると、移動端末機２が１つの基地局から第１及び第２のパケットデータ転送を受信する。受信した第１及び第２のパケットデータ転送を復調した後に、移動端末機は受信した前記データを調べてデータパケットの受信品質を識別または評価することができる。受信した前記パケットデータを用いる以降の移動端末機の動作は、図２と一緒に上述した方法でなされる。
【００４４】
他の代案として、図２及び図３と関連して上述された様々なセルエッジとセクターエッジ性能向上方法が組み合わせられることができる。本実施形態の一例に、移動端末機がセルエッジ領域２１０に位置し、セルＢから周波数Ｆ１とＦ３で、セルＡからは周波数Ｆ２で転送を受ける形態である。なお、本実施形態は、前記例と異なる数のセクターを持つセルの他、示されたよりも多くのセルを持つ網にも適用されることができる。
【００４５】
さらに他の実施例は、例えば、相異なる周波数を使用する代わりに、相異なる直交周波数分割多重（ＯＦＤＭ）トーンを使用することができる。直交周波数分割多重（ＯＦＤＭ）とは、全般的なシステム帯域幅を多重直交副帯域（ｓｕｂｂａｎｄ）に效率的に分割する方法のことをいう。前記副帯域は、トーン、搬送波、副搬送波、ビン（Ｂｉｎ）または周波数チャンネルともいう。各副帯域は、データと一緒に変調されうる副搬送波のセットで構成される。
【００４６】
このような実施例は、図２及び図３のセルエッジまたはセクターエッジ性能向上方法を用いて具現されることができる。例えば、図２で、基地局３ａは、パケットデータを第１のトーンセットで転送し、基地局３ｂはパケットデータを第２のトーンセットで転送する。図３に示すように、セクターエッジ周囲に位置している移動端末機で類似の動作が発生する。一例として、同一のトーンセットが非直交時空間符号化転送（ｎｏｎ−ｏｒｔｈｏｇｏｎａｌ  ｓｐａｃｅ  ｔｉｍｅ  ｃｏｄｉｎｇ  ｔｒａｎｓｍｉｓｓｉｏｎ）が使用される時に活用されることができる。他の例として、直交時空間符号が使用されるときに相異なるトーンセットが活用されることができる。これらの場合、各セルまたはセクターに各アンテナが相異なるトーンセットを転送する多重転送アンテナが基地局に設置されることができる。
【００４７】
図４は、前記トーンの割当例を示す２次元格子図である。前記トーンセットはデータの同一パケットを伝達したり、同一データの相異なるパケットを伝達するのに使われることができる。また、トーンセットは、時間と周波数にわたって分布したり連結されることができる。
【００４８】
非汎用周波数再使用の場合について、上述したような２つ以上の類似直交または直交チャンネル化コード（ＣＤＭＡのウォルシュコード等）の使用と２つ以上の相異なるトーンセット（直交周波数分割多重環境で）の使用が選択されることができる。相異なるトーンセットの使用は、該当の２つ以上の相異なる周波数使用の条件に取って代わる。
【００４９】
本発明のさらに他の実施例として、上述したセルエッジとセクターエッジの性能向上方法は、ハイブリッド自動再送要求（Ｈ−ＡＲＱ）を含む自動再送要求（ＡＲＱ）方式で具現されることができる。このような実施形態の例が図５に示されている。この再転送の実施例は、否定応答（ＮＡＣＫ）メッセージ受信時に相異なる転送個体（例えば、セルＡ、セルＢ）から後続サブパケットの転送を交互に反復する。
【００５０】
時間１で、セルＡとセルＢは各サブパケット１を転送する。このような転送の例と、前記転送をどのように移動端末機が受信して処理するかは、図２及び図３と関連付けて上述した。特に、前記移動端末機はデータ転送を受信し、信号を復調し、データを復号（ｄｅｃｏｄｅ）する。復号過程の一部分として、前記移動端末機は、パケットが正確に受信されたか否かを判別するためにデータパケットを検査する。
【００５１】
時間２で、前記パケットに誤りがある場合、前記移動端末機は否定応答メッセージをセルＡとセルＢに転送する。否定応答メッセージに対する応答として、時間３で、セルＡは誤りのある前記パケットを再転送する。
【００５２】
時間４で、前記パケットに再度誤りがあると、前記移動端末機は再び否定応答メッセージをセルＡとセルＢに転送する。その応答として、時間５で、セルＢは前記要請されたパケットを再転送する。
【００５３】
時間６で、前記パケットは成功的に端末機に受信され、端末機は肯定応答（ＡＣＫ）メッセージをセルＡとセルＢに転送する。続いて、時間７で、セルＡとセルＢは、新しいサブパケットを転送し、上記の過程を反復することができる。
【００５４】
他の実施例によれば、否定応答（ＮＡＣＫ）が受信される場合、転送電力（または、比率監視のためのトラフィック）が調節されたり変更（増加または減少）される方法が具現されることができる。例えば、サブパケット２の再転送を、時間１でのサブパケット１の転送に用いられたエネルギーよりも低いエネルギーで行うことができる。他の方法は、サブパケット再転送電力を減少させる代わりに増加させることができる。エネルギー変化量は用途によって変わったり、要請または必要によって調節されることができる。
【００５５】
転送電力を変更する方法の代案として、直交周波数分割多重方式で第１のサブパケット転送に用いられたトーン個数と比較してトーンの数を変更し、後続サブパケットを転送する方法が具現されることができる。例えば、前記第１のサブパケット転送に用いられたトーンの数に比べて増加したり減少したトーンの数で後続サブパケット転送が行われることができる。
【００５６】
図６は、本発明の他の一実施形態による自動再送要求（ＡＲＱ）方式を示す図である。本実施形態はまた、否定応答（ＮＡＣＫ）メッセージを受信すると、再転送されるサブパケットの転送エネルギーが変更される形態でただ今記述された電力変更方法を提供する。ただし、図６の実施形態は、サブパケットの再転送をセル間に交互に反復しない。特に、両転送個体（セルＡ及びセルＢ）は、移動端末機が誤受信したと表示するサブパケットを再転送する。図５及び図６に示す実施例はパケットデータ転送に関するものであるが、これらの手法は回線交換信号転送にも適用されることができる。
【００５７】
図７は、移動端末機２のブロック図である。同図の移動端末機は、プロセッサー（または、デジタル信号プロセッサー）５１０、ＲＦモジュール５３５、電力管理モジュール５０５、アンテナ５４０、バッテリー５５５、ディスプレイ部５１５、キーパッド５２０、メモリー５３０、加入者識別モジュール（ＳＩＭ）カード５２５（選択的に含む）、スピーカー５４５及びマイク５５０を含む。
【００５８】
使用者は、電話番号などの命令情報を、例えば、キーパッド５２０のボタンを押したりマイク５５０を用いた音声活性化を介して入力する。プロセッサー５１０は、電話番号で電話をかけるなど適切な機能を行うために指示情報を受信して処理する。運用データ（ｏｐｅｒａｔｉｏｎａｌ  ｄａｔａ）は、機能を行うために加入者識別モジュールカード５２５またはメモリー５３０から取り込まれることができる。さらに、前記処理器は、使用者の参照と便宜のために命令または運用情報をディスプレイ部５１５に表示することができる。
【００５９】
プロセッサー５１０は通信開始のために、例えば、音声通信データを含むラジオ信号を転送するために、命令情報をＲＦモジュール５３５に送る。ＲＦモジュール５３５は無線信号転送のために受信器と送信器を含む。アンテナ５４０はラジオ信号の送信と受信を容易にする。無線信号を受信すると、前記ＲＦモジュールは、プロセッサー５１０による処理のため、前記信号を基底帯域周波数に転送して変換することができる。該処理された信号は聞いたり読むことのできる情報に変換され、例えば、スピーカー５４５を通じて出力される。前記プロセッサーはまた、様々な処理過程を行うのに必要な、例えば上述したＣＤＭＡ２０００またはＩｘＥＶ−ＤＯシステムに対する通信規約と関数を含む。
【産業上の利用可能性】
【００６０】
以上の実施例及び利点は例示的なもので、本発明を制限するものとして解釈されてはいけない。本明細書に教示された技術的思想は他のタイプの装置にも容易に適用されることができる。本発明についての詳細な説明は、本発明を説明するためのもので、特許請求の範囲を制限するものではない。様々な代替、修正、及び変形が当該技術分野に熟練した技術者には明らかになる。
【図面の簡単な説明】
【００６１】
【図１】本発明の一実施形態による無線通信網を示す図である。
【図２】相異なる搬送周波数を用いて移動端末機と交信する２つの基地局システムを示す図である。
【図３】相異なる搬送周波数を用いてパケットデータが転送される区域を持つセルを示す図である。
【図４】ＯＦＤＭトーン割当の例を示す２次元格子図である。
【図５】相異なる転送個体からの後続サブパケットの交互転送と関連してハイブリッド自動再送要求（Ｈ−ＡＲＱ）を用いる一実施例を示す図である。
【図６】減少または増加された転送電力を用いる後続サブパケット再転送にハイブリッド自動再送要求（Ｈ−ＡＲＱ）を用いる一実施例を示す図である。
【図７】移動端末機のブロック図である。
【図１】
2009525670.tif 000003
【図２】
2009525670.tif 000004
【図３】
2009525670.tif 000005
【図４】
2009525670.tif 000006
【図５】
2009525670.tif 000007
【図６】
2009525670.tif 000008
【図７】
2009525670.tif 000009
【国際調査報告】
2009525670.tif 000010
2009525670.tif 000011
2009525670.tif 000012
2009525670.tif 000013
2009525670.tif 000014